(57)【要約】【課題】板バネを用いるプラグイン方式の端子台において、端子台の設計の自由度を高めつつ、耐久力に優れた塑性変形防止機構を提供する。【解決手段】電線を挿入するための開口４２を有する筐体４と、前記開口から挿入された前記電線と接続される端子３と、前記端子３に前記電線を押し付けて固定するための板バネ部材２と、を備える端子台１であって、前記板バネ部材２は、前記端子３に前記電線を押し付ける押圧部２１１と、該押圧部２１１が前記端子から離れる方向へ所定量以上に撓むことを防止する塑性変形防止部２２と、を有していることを特徴とする、端子台１。【選択図】図１
2018107079.tif 000002
【特許請求の範囲】
【請求項１】
電線を挿入するための開口を有する筐体と、
前記開口から挿入された前記電線と接続される端子と、
前記端子に前記電線を押し付けて固定するための板バネ部材と、
を備える端子台であって、
前記板バネ部材は、前記端子に前記電線を押し付ける押圧部と、該押圧部が前記端子から離れる方向へ所定量以上に撓むことを防止する塑性変形防止部と、を有している
ことを特徴とする、端子台。
【請求項２】
前記塑性変形防止部は、前記板バネ部材の端面を含んで構成され、前記押圧部が前記端子から離れる方向に所定量撓んだ際に、前記板バネ部材の一部に前記板バネ部材の端面を当接させることで、前記押圧部がそれ以上撓むことを防止する
ことを特徴とする、請求項１に記載の端子台。
【請求項３】
前記板バネ部材は、
長手方向の複数箇所において屈曲部を有し、変形前の状態において、前記板バネ部材の長手方向の一方の端部の内側表面が、他方の端部の端面と隙間を介して対向するよう配置され、
前記押圧部は前記板バネ部材の前記長手方向の一方の端部を含む領域により構成され、
前記塑性変形防止部は、前記板バネ部材の前記長手方向の他方の端部を含む領域により構成され、
前記板バネ部材の前記押圧部が所定量撓んだ際に、前記板バネ部材の前記長手方向の一方の端部の内側表面が、前記板バネ部材の前記長手方向の他方の端部を含む領域である前記塑性変形防止部の端面に当接する
ことを特徴とする請求項１または２に記載の端子台。
【請求項４】
前記板バネ部材は、長手方向の二箇所において屈曲部を有し、板バネの幅方向から見た際に、一つの頂点付近が開口した三角形状を有し、変形前の状態において、前記三角形状における前記開口を挟む一方の辺の端部の内側表面が、他方の辺の端部の端面と隙間を介して対向するように配置され、
前記押圧部は、前記三角形状における前記開口を挟む一方の辺の端部を含む領域により構成され、
前記塑性変形防止部は、前記三角形状における前記開口を挟む他方の辺の端部を含む領域により構成され、
前記板バネ部材の前記押圧部が所定量撓んだ際に、前記三角形状における前記開口を挟む一方の辺の端部の内側表面が、前記三角形状における前記開口を挟む他方の辺の端部の端面に当接する
ことを特徴とする請求項３に記載の端子台。
【請求項５】
前記塑性変形防止部の位置ずれ及び／又は変形を防止するための、塑性変形防止部支持手段をさらに有する
ことを特徴とする請求項１から４のいずれか１項に記載の端子台。
【発明の詳細な説明】
【技術分野】
【０００１】
本発明は端子台、特にバネの復元力による押圧によって電線と端子とを接続状態に維持する機能を有する端子台に関する。
【背景技術】
【０００２】
従来から、電線の接続、分岐、中継のために複数の端子を集合した機構部品（以下、端子台という）が用いられており、制御盤や配電盤をはじめ、プリント基板向けのものなど、用途に応じて様々な大きさや種類のものが知られている（例えば特許文献１）。これらの端子台に電線または電線の先端部に設けられた導体（以下、まとめて電線という）と、端子とを接続する方法としては、ネジやバネなどによって電線を端子に圧着状態で固定し、電気的に接続するものが一般的である。
【０００３】
中でも、板バネの復元力によって電線を端子に固定する方式のものは、ネジを用いて固定する方式に比べて、例えば振動等が原因で固定が緩くなるといったことが起こりにくいという特徴がある。また、板バネを用いることで、電線を筐体から開口部に挿入するだけで工具を使用せずに電線と端子を接続できる、いわゆるプッシュイン（或いはダイレクトプラグイン）タイプの端子台も開発され、近年普及してきている（例えば特許文献２）。
【０００４】
図１１は上記のような板バネを用いて電線を端子に固定する方式の従来の端子台の一例を示している。また、図１２及び図１３は、図１１に示す端子台に電線を挿入、抜去する際の説明図である。端子台９は、筐体９４と、筐体９４内の内壁に沿って上方が開放された向きの略コの字状に設けられた端子９３、及び板バネ部材９２、そして筐体と一体に形成されている塑性変形防止部９４１を有している。
【０００５】
また、筐体９４の上面には、電線９５を挿入するための電線挿入口９４ａ、及び電線を抜去する際に工具９８を挿入するための工具差込口９４ｂが形成されており、底面には開口が形成されており、該開口を通して筐体外部から電導体９６が挿入される。
【０００６】
端子９３は板状部材からなり、筐体９４の内壁に当接して配置され、挿入された電線と電気的に接続される接続面９３ａが筐体の内部に向けて形成される。また、端子台９の底面部において、筐体外部から挿入された電導体９６と接続される接続部９３ｂが形成されている。
【０００７】
板バネ部材９２は、帯状の板ばねが略Ｖ字形状に湾曲され、一方の平板部９２ｂが端子９３の接続面９３ａと対向する側の側面内壁に当接し、他方の平板部９２ｃはその先端部９２ａが端子の接続面９３ａの略中央に当接するようにして、Ｖ字の折り返し部９２ｄが筐体の斜め上方を向くように配置されている。
【０００８】
塑性変形防止部９４１は、筐体底面の略中央に位置し、底面から上方へ向けて、所定の高さに突出する部材である。
【０００９】
端子台９に電線９５を接続する場合には電線挿入口９４ａから電線９５の先端部９５ａを挿入し、図１２に示すように先端部９５ａにより板バネ部材９２の先端部９２ａをバネの復元力に抗して押し広げて端子９３と板バネ部材９２の先端部９２ａとの間に押し込む。そして、板バネ部材９２の先端部９２ａが、その復元力によって電線９５の先端部９５ａを端子の接続面９３ａに押し付けることにより、電線９５を固定する。これにより、電線９５が端子９３に接続され、また電線９５に引き抜き方向の力が加わった場合には、板
バネ部材９２の先端部９２ａの縁が電線９５の先端部９５ａの表面に食い込み電線９５の抜けが防止される。
【００１０】
端子台９から電線を取り外すときには、図１３に示すように筐体９４の工具差込口９４ｂからマイナスドライバなどの工具９８を差し込み、板バネ部材９２の平板部９２ｃをバネの復元力に抗して押し下げて先端部９２ａを電線９５から引き離す。これにより、電線９５が板バネ部材９２から解放され、端子台９から抜去する（取り外す）ことが可能となる。
なお、電線９５の挿入時においても、電線の先端部９５ａの剛性が足りず、押し込んで挿入できない場合は、抜去時と同様にして板バネ部材９２を押し下げた状態にすると、撚り線等の剛性のない電線でも挿入することができる。
【００１１】
そして、上記のように、工具によって板バネ部材９２が押し下げられる際に、バネの変形は塑性変形防止部９４１によって所定の範囲内に制限される。これによって、工具差込み時に、過剰に力が加えられて、バネの弾性限界を超えることでバネが塑性変形してしまうのを防止することができる。
【先行技術文献】
【特許文献】
【００１２】
【特許文献１】特開平７−７３９１３号公報
【特許文献２】特表２０１３−５００５４７号公報
【発明の概要】
【発明が解決しようとする課題】
【００１３】
ところで、上記の塑性変形防止部９４１の強度が十分で無い場合には、工具を差し込んでバネを押し下げる際に一定以上の力が塑性変形防止部９４１に加わると、当該部材が破損されてバネの塑性変形防止の機能が失われ、ひいては端子台そのものが使用できなくなってしまう。
【００１４】
従来、上記のような塑性変形防止のための部材は、合成樹脂により成形されることが多く、端子台の小型化、スリム化を計ると、塑性変形防止部の強度が十分に得られず、他方、十分な強度を得ようとすると塑性変形防止部が大型化して、他部材の設計の自由度が低下するという問題があった。また、塑性変形防止部を筐体とは別体の金属などで構成すると、製造のためのコストが増大してしまう。
【００１５】
本発明は、上記のような実情に鑑みてなされたものであり、その目的とするところは、板バネを用いるプラグイン方式の端子台において、端子台の設計の自由度を高めつつ、耐久力に優れた塑性変形防止機構を提供することにある。
【課題を解決するための手段】
【００１６】
前記の目的を達成するために、本発明は以下の構成を採用する。
【００１７】
本発明に係る端子台は、電線を挿入するための開口を有する筐体と、前記開口から挿入された前記電線と接続される端子と、前記端子に前記電線を押し付けて固定するための板バネ部材と、を備える端子台であって、前記板バネ部材は、前記端子に前記電線を押し付ける押圧部と、該押圧部が前記端子から離れる方向へ所定の角度以上に撓むことを防止する塑性変形防止部と、を有する構成とした。
【００１８】
このような構成であると、板バネ自体によって、バネの弾性限界を超えてバネが塑性変形することを防止する構造となっているため、塑性変形防止のための手段を他に設ける必
要が無く、端子台の設計の自由度を高めることができる。また、板バネ自体の強度により、塑性変形防止部として十分な強度を確保することができる。
【００１９】
また、前記塑性変形防止部は、前記板バネ部材の端面を含んで構成され、前記押圧部が前記端子から離れる方向に所定量撓んだ際に、前記板バネ部材の一部に前記板バネ部材の端面を当接させることで、前記押圧部がそれ以上撓むことを防止するようにしてもよい。このような構成であれば、板状部材の端面で力を受けることになるため、より確実に塑性変形防止部自体の変形を抑止することができる。
【００２０】
また、前記板バネ部材は、長手方向の複数箇所において屈曲部を有し、変形前の状態において、前記板バネ部材の長手方向の一方の端部の内側表面が、他方の端部の端面と隙間を介して対向するよう配置され、前記押圧部は前記板バネ部材の前記長手方向の一方の端部を含む領域により構成され、前記塑性変形防止部は、前記板バネ部材の前記長手方向の他方の端部を含む領域により構成され、前記板バネ部材の前記押圧部が所定量撓んだ際に、前記板バネ部材の前記長手方向の一方の端部の内側表面が、前記板バネ部材の前記長手方向の他方の端部を含む領域である前記塑性変形防止部の端面に当接するものであってもよい。
【００２１】
このような構成であると、従来の端子台に用いられている板バネの曲げ角度及び長さを変更するだけで、板バネ自体に塑性変形防止のための機能を付与することができるため、設計や製造に係るコストを抑えることができる。
【００２２】
さらに、前記板バネ部材は、長手方向の二箇所において屈曲部を有し、板バネの幅方向から見た際に、一つの頂点付近が開口した三角形状を有し、変形前の状態において、前記三角形状における前記開口を挟む一方の辺の端部の内側表面が、他方の辺の端部の端面と隙間を介して対向するように配置され、前記押圧部は、前記三角形状における前記開口を挟む一方の辺の端部を含む領域により構成され、前記塑性変形防止部は、前記三角形状における前記開口を挟む他方の辺の端部を含む領域により構成され、前記板バネ部材の前記押圧部が所定量撓んだ際に、前記三角形状における前記開口を挟む一方の辺の端部の内側表面が、前記三角形状における前記開口を挟む他方の辺の端部の端面に当接するものであってもよい。このようにすると、前記板バネ部材の構成をより簡易なものとしつつ、十分な強度の塑性変形防止機能を確保することができる。
【００２３】
また、前記端子台は、前記塑性変形防止部の位置ずれ及び／又は変形を防止するための、塑性変形防止部支持手段をさらに有していてもよい。このような構成を採用することで、前記塑性変形防止部自体が、撓む等して位置ずれしたり、変形してしまったりすることを防止できるため、より確実に板バネの塑性変形を防止することが可能となる。
【発明の効果】
【００２４】
本発明によれば、板バネを用いるプラグイン方式の端子台において、端子台の設計の自由度を高めつつ、耐久力に優れた塑性変形防止機構を提供することができる。
【図面の簡単な説明】
【００２５】
【図１】図１は実施例１に係る端子台を示す断面図である。
【図２】図２は図１に示した端子台に電線を接続する場合の説明図である。
【図３】図３は図２に示した端子台に接続した電線を抜去する場合の説明図である。
【図４】図４は実施例１に係る端子台の第１の変形例を示す断面図である。
【図５】図５は図４に示した端子台に電線を接続する場合の説明図である。
【図６】図６は図５に示した端子台に接続した電線を抜去する場合の説明図である。
【図７】図７Ａは、実施例１に係る端子台の第２の変形例を示す断面図であり、図７Ｂは、図７Ａに示した端子台の板バネ部材の形状を示す図である。
【図８】図８は、図７Ａに示した端子台に接続した電線を抜去する場合の説明図である。
【図９】図９は実施例２に係る端子台を示す断面図である。
【図１０】図１０は、図９に示した端子台に接続した電線を抜去する場合の説明図である。
【図１１】図１１は従来の端子台の一例を示す断面図である。
【図１２】図１２は図１１に示した端子台に電線を接続する場合の説明図である。
【図１３】図１３は図１２に示した端子台に接続した電線を抜去する場合の説明図である。
【発明を実施するための形態】
【００２６】
以下に図面を参照して、この発明を実施するための形態を、実施例に基づいて例示的に詳しく説明する。ただし、この実施例に記載されている構成部品の寸法、材質、形状、その相対配置などは、特に記載がない限りは、この発明の範囲をそれらのみに限定する趣旨のものではない。
【００２７】
＜実施例１＞
（端子台の構成例）
まず、図１を参照して、本実施例に係る端子台１の構成を説明する。
図１は、本実施例に係る端子台１の内部構造を示す断面図である。端子台１は、主要な構成として、筐体４と、筐体４の内壁に沿って上方が開放された向きの略コの字状に配置された端子３、及び板バネ部材２を有している。
【００２８】
筐体４は例えば樹脂により成形されており、筐体４の上面には電線５を挿入するための電線挿入口４２、及び電線を抜去する際に工具８を挿入するための工具差込口４３が形成されている。また、筐体４の底面の中央付近には開口が形成されており、該開口を介して筐体外部から電導体５２が挿入される。さらに、底面には塑性変形防止部支持体４１が形成される。塑性変形防止部支持体４１は、後述する板バネ部材２の塑性変形防止部２２の下面に沿うような傾斜を有する凸状体である。
【００２９】
端子３は例えば銅などの導電性を有する金属の板状部材であり、筐体４の内壁に当接して配置され、挿入された電線５と電気的に接続される接続面３ａが筐体の内部に向けて形成される。また、底面部において、前記の電導体５２と接続される接続部３ｃが形成されている。さらに、底面部において、突出する塑性変形防止部支持体４１のための切り欠き部が設けられている。
【００３０】
板バネ部材２は、例えばステンレスなどの材質からなる帯状の板バネが、板バネの幅方向から見た際に、一辺の一部が欠けて一つの頂点付近が開口した三角形状に湾曲されたものである。そして、該三角形の欠けていない一辺の一方に該当する平板部が固定部２３として、端子３の接続面３ａとは対向する側の面３ｂに固定されている。また、もう一方の欠けていない一辺を構成する平板部は弾性変形部２１であり、その先端部が端子３の接続面３ａに当接するようにして配置されている。この先端部が後述の電線５を接続面３ａに押し付ける押圧部２１１に該当する。そして、三角形の欠けた一辺を構成する平板部が塑性変形防止部２２であり、塑性変形防止部２２はその先端面２２ａによって、弾性変形部２１が端子の接続面３ａから離れる方向に所定量以上に撓むことを制限する。
【００３１】
（使用方法）
次に、本実施例に係る端子台１の使用例を図２、図３を用いて説明する。
図２は、端子台１に電線５を接続する場合の、端子台１と電線５との関係を示す図であ
る。電線挿入口４２から電線５の先端部５ａを挿入し、図２に示すように先端部５ａにより板バネ部材２の押圧部２１１と端子３の接続面３ａとの間をバネの復元力に抗して押し広げて（即ち弾性変形部２１を弾性変形させて）、端子の接続面３ａと板バネ部材２の押圧部２１１との間に押し込む。すると、押圧部２１１が、板バネ部材２の復元力によって電線５の先端部５ａを端子３の接続面３ａに押し付けることにより、電線５を固定する。これにより、電線５の先端部５ａが端子３に接続され、また電線５に引き抜き方向の力が加わった場合には、押圧部２１１の縁が電線５の先端部５ａの表面に食い込んで電線５の抜けが防止される。
【００３２】
図３は、端子台１から電線５を取り外す場合の、端子台１と電線５との関係を示す図である。端子台１から電線５を取り外すときには、図３に示すように筐体４の工具差込口４３からマイナスドライバなどの工具８を差し込んで板バネ部材２の弾性変形部２１をバネの復元力に抗して押し下げて押圧部２１１を電線から引き離す。これにより、電線５が板バネ部材２から解放され、端子台１から取り外すことが可能となる。
【００３３】
なお、電線５の挿入時においても、電線５の先端部５ａの剛性が足りないために押し込んで挿入できない場合には、抜去時と同様にして板バネ部材２の弾性変形部２１を押し下げた状態にすると、撚り線等の剛性のない電線でも端子台１に挿入することができる。そして電線５の先端部５ａを挿入した後に工具８を引き抜くと、弾性変形部２１はその復元力によって電線５の先端部５ａを端子の接続面３ａに押し付けるため、これによって電線５と端子３が接続、固定される。
【００３４】
ここで、上記のように工具８によって板バネ部材２の弾性変形部２１が押し下げられる際には、弾性変形部２１の撓み（即ち変形）は、弾性変形部２１が塑性変形防止部２２の先端面２２ａに当接することによって制限される。即ち、弾性変形部２１は、塑性変形防止部２２の先端面２２ａまでの距離を限度として弾性変形し、それ以上に押圧部２２１を端子の接続面３ａから離れる方向へ変形させる力が加えられても、塑性変形防止部２２によって支持されることで、弾性変形部２１は変形しない。これによって、工具８を差し込んだ際に過剰に力が加えられても、弾性変形部２１が弾性限界を超えて変形することで板バネ部材２が塑性変形してしまうことを防止することができる。
【００３５】
また、筐体４底面部の中央付近に設けられた、塑性変形防止部支持体４１によって、塑性変形防止部２２自体も位置決め固定される。これにより、塑性変形防止部２２が撓むなどして、弾性変形部２１を十分に支持できないといった現象を防止することができる。
【００３６】
以上のように、工具の力が直接作用せず、板バネ部材２の長手方向に力が作用するという本実施例に係る端子台１の構成により、専用の部材を用いることなく（即ち従来の端子台における板バネの形状を変更するだけで）破損や変形のしにくい塑性変形防止機構を備えた端子台を提供することができ、製造コストを増大させること無く端子台の設計の自由度を高くすることができる。
【００３７】
（変形例１）
なお、上記実施例１に係る端子台１においては、板バネ部材２の弾性変形部２１を、塑性変形防止部２２の先端面２２ａで受ける構成となっていたが、必ずしもこのような構成である必要はなく、以下のような構成により、板バネ部材の弾性変形を制限してもよい。
【００３８】
図４は実施例１の第１の変形例に係る端子台１の内部構造を示す断面図である。図４に示すように、板バネ部材６は、帯状の板バネが、板バネの幅方向から見た際に、一辺の一部が欠けて一つの頂点付近が開口した三角形状に湾曲されたものである。そして、該三角形の欠けていない一辺の一方に該当する平板部が固定部６３として、端子３の接続面３ａ
とは対向する側の面３ｂに固定されている。また、もう一方の欠けていない一辺を構成する平板部は弾性変形部６１である。また、三角形の欠けた一辺を構成する平板部が塑性変形防止部６２である。そして、弾性変形部６１の先端部と塑性変形防止部６２の先端部によって形成される角部が、押圧部６４である。
【００３９】
押圧部６４は端子３の接続面３ａに当接するようにして配置されており、そのエッジ部分によって電線５の先端部５ａを接続面３ａに押し付ける機能を有する。また、塑性変形防止部６２は、その先端面６２ａが固定部６３に当接することによって、弾性変形部６１が端子３の接続面３ａから離れる方向に所定の角度以上に撓むことを制限する。
【００４０】
図５は、端子台１に電線５を接続する場合の、端子台１と電線５との関係を示す図である。電線挿入口４２ａから電線５の先端部５ａを挿入し、図５に示すように先端部５ａにより板バネ部材６の押圧部６４と接続面３ａとの間をバネの復元力に抗して押し広げて（即ち弾性変形部６１を弾性変形させて）端子の接続面３ａと板バネ部材６の押圧部６４との間に押し込む。すると、押圧部６４が、板バネ部材６の復元力によって電線５の先端部５ａを端子の接続面３ａに押し付けることにより、電線５を固定する。
【００４１】
図６は、端子台１から電線５を取り外す場合、撚線などの剛性の不足する電線を挿入する場合など、押圧部６４を端子３の接続面３ａから引き離す際の、端子台１と電線５との関係を示す図である。このような際には、図６に示すように筐体の工具差込口４３からマイナスドライバなどの工具８を差し込んで板バネ部材６の弾性変形部６１をバネの復元力に抗して押し下げて押圧部６４を接続面３ａから引き離す。これにより、固定した電線を取り外したり、剛性の不足する電線を挿入したりすることが可能となる。
【００４２】
ここで、上記のように工具８によって板バネ部材６の弾性変形部６１が押し下げられる際には、弾性変形部６１の変形は、弾性変形部６１と押圧部６４を介して繋がっている塑性変形防止部６２の先端面６２ａが、固定部６３に当接することによって制限される。即ち、弾性変形部６１は、塑性変形防止部６２の先端面６２ａが、固定部６３に当接するまでの距離を限度として弾性変形し、それ以上に押圧部６４を端子の接続面３ａから離れる方向へ変形させる力が加えられても、塑性変形防止部６２が、固定部６３及び塑性変形防止部支持体４１によって支持されることで、弾性変形部６１は変形しない。これによって、工具８を差し込んだ際に過剰に力が加えられても、弾性変形部６１が弾性限界を超えて変形することで板バネ部材６が塑性変形してしまうことを防止することができる。
【００４３】
（変形例２）
また、上記の各例においては、板バネ部材は帯状の板バネが、板バネの幅方向から見た際に、一つの頂点付近が開口した三角形状に湾曲されたものであったが、板バネ部材の形状はこれに限定されるものではなく、例えば図７Ａ、Ｂおよび図８に示すような形状であってもよい。
【００４４】
図７Ａは実施例１の第２の変形例に係る端子台１の内部構造を示す断面図である。本変形例に係る端子台１の板バネ部材６００は、図７Ｂに示すように、平面視において略Ｌ字形状をした板バネの短辺部分を９０度折り曲げ、長辺部分を湾曲させた形状である。そして、折り曲げた短辺が塑性変形防止部６０２に該当し、湾曲させた長辺部分のうち、短辺と部分と繋がっている側が固定部６０３、他方が弾性変形部６０１であり、その先端部が押圧部６０４に該当する。
【００４５】
図８は、端子台１から電線５を取り外す場合、撚線などの剛性の不足する電線を挿入する場合など、押圧部６０４を端子３の接続面３ａから引き離す際の、端子台１と電線５との関係を示す図である。図８に示すように、工具８によって板バネ部材６００の弾性変形
部２１が押し下げられる際には、弾性変形部６０１の変形は、塑性変形防止部６０２の先端面６０２ａに当接することによって制限される。このようにして、工具８を差し込んだ際に過剰に力が加えられても、弾性変形部６０１が弾性限界を超えて変形することで板バネ部材６００が塑性変形してしまうことを防止することができる。
【００４６】
なお、塑性変形防止部６０２の先端部は、弾性変形部６０１と適切に当接し得るように、所定の角度に傾斜した形状となっている。また、塑性変形防止部６０２は、筐体４の壁面部によって支持されるため、本変形例に係る端子台１は塑性変形防止部支持体を有しない構成とすることができる。
【００４７】
＜実施例２＞
続いて、図９および図１０に基づいて、本発明の第２の実施例について説明する。尚、本実施例に係る端子台１１は多くの構成を実施例１に係る端子台１と共通にしているため、そのような構成には同一の符号を付して詳細な説明は省略する。
【００４８】
図９に示すように、本実施例に係る端子台１１の筐体４上部には、工具差込み口４３の代わりに円形状のリリースボタン口が設けられ、リリースボタン７が、リリースボタン口に挿通されている。リリースボタン７は、操作部７１、伝達部７２、作用部７３、により構成される。
【００４９】
作用部７３はリリースボタン口の直径よりも大きい直径を有する棒状に形成されており、伝達部７２はリリースボタン口内を摺動可能に挿通されて上方に突出し、操作部７１が伝達部７２の上端に形成されている。
【００５０】
図１０はリリースボタン７使用時の説明図である。本実施例の端子台１１から電線５を取り外す場合、撚線などの剛性の不足する電線を挿入する場合には、リリースボタン７の操作部７１を押し込むことによって、弾性変形部２１を弾性変形させる。即ち、操作部７１を押し下げると、伝達部７２を介して、作用部７３が板バネ部材２の弾性変形部２１を押し下げ、これによって押圧部２１１が接続面３ａから引き離される。
【００５１】
そして、操作部７１を押し込むのをやめると、バネの復元力によって弾性変形部２１が復位し、これによって、リリースボタン７は上方へ押し戻され、作用部７３の上端が筐体の上方の内壁で係止されることにより、元の状態に復位する。
【００５２】
以上のような本実施例の端子台１１の構成により、別途工具を用意しなくとも電線の挿抜が可能になるため、作業性を向上させることができる。なお、本実施例のように板バネの押圧部を端子の接続面から引きはなすための機構を予め備える構成は、実施例１の変形例のように、板バネの形状が本実施例と異なる形状をする場合でも採用することができる。
【００５３】
＜その他＞
上記各実施例は、本発明を例示的に説明するものに過ぎず、本発明は上記の具体的な形態には限定されない。本発明はその技術的思想の範囲内で種々の変形が可能である。例えば、端子台の筐体は１つの部材として形成されている必要はなく、ベース部材とケースなどの複数の部材により構成されるものであってもよい。また、上記実施例に係る端子台は、電線の挿入口が１つのものであったが、電線の挿入口とそれに対応する板バネ部材が複数設けられた端子台としてもよい。また、板バネの素材についても、上記実施例ではステンレスを例示したが、これに限られるわけでは無く、他の金属や合金であってもよいし、炭素や合成樹脂などであってもよい。
【符号の説明】
【００５４】
１、１１、９１・・・端子台
２、６、６００、９２・・・板バネ部材
２１１、６４、６０４・・・押圧部
２２、６２、６０２、９４１・・・塑性変形防止部
３、９３・・・端子
４、９４・・・筐体
５、９５・・・電線
７・・・リリースボタン
８、９８・・・工具
【図１】
2018107079.tif 000003
【図２】
2018107079.tif 000004
【図３】
2018107079.tif 000005
【図４】
2018107079.tif 000006
【図５】
2018107079.tif 000007
【図６】
2018107079.tif 000008
【図７】
2018107079.tif 000009
【図８】
2018107079.tif 000010
【図９】
2018107079.tif 000011
【図１０】
2018107079.tif 000012
【図１１】
2018107079.tif 000013
【図１２】
2018107079.tif 000014
【図１３】
2018107079.tif 000015